(57)【特許請求の範囲】
【請求項１】
寝具、座席、浴槽、便座の少なくとも一つに配設された少なくとも一つの振動検出手段と、前記振動検出手段の出力信号に基づき前記寝具、座席、浴槽、便座の少なくとも一つに存在する人体の血液循環により生じる身体の振動特性量を演算する演算手段と、前記演算手段の出力信号に基づき前記人体の血液循環動態を判定する判定手段とを備え、前記演算手段は振動検出手段の出力信号の各波高、各波高の比、各波相互の時間間隔の少なくとも一つを演算し、前記判定手段は前記演算手段の出力信号に基づき人体の血圧値、動脈硬化度、心拍出量の少なくとも一つを判定する生体モニタ装置。
【請求項２】
寝具、座席、浴槽、便座の少なくとも一つに配設された少なくとも一つの振動検出手段と、前記振動検出手段の出力信号に基づき前記寝具、座席、浴槽、便座の少なくとも一つに存在する人体の血液循環により生じる身体の振動特性量を演算する演算手段と、前記演算手段の出力信号に基づき前記人体の血液循環動態を判定する判定手段とを備え、前記演算手段は振動検出手段の出力信号に基づき人体の脈波伝播時間を演算し、前記判定手段は前記演算手段の出力信号に基づき人体の血圧値、動脈硬化度の少なくとも一つを判定する生体モニタ装置。
【請求項３】
振動検出手段は寝具の胸元側と足元側にそれぞれ配設された請求項１または２記載の生体モニタ装置。
【請求項４】
振動検出手段は座席の座面側と背もたれ側にそれぞれ配設された請求項１または２記載の生体モニタ装置。
【請求項５】
判定手段は、血液循環動態の基準値を入力することが可能な基準値入力部を有し、前記基準値入力部より入力された基準値に基づいて演算手段の出力信号と判定手段の判定結果との関係を補正する請求項１または２記載の生体モニタ装置。
【請求項６】
判定手段は、人体の身長、体重、性別、年齢等の身体特性量の少なくとも一つを入力することが可能な身体特性量入力部を有し、前記身体特性量入力部より入力された身体特性量に基づいて演算手段の出力信号と判定手段の判定結果との関係を補正する請求項１または２記載の生体モニタ装置。
【請求項７】
判定手段は判定結果を記憶する記憶部を有した請求項１または２記載の生体モニタ装置。
【請求項８】
判定手段は判定結果を表示する表示部を有した請求項１または２記載の生体モニタ装置。
【請求項９】
判定手段は判定結果が予め設定した正常範囲を逸脱した場合に警報を発生する警報発生部を有した請求項１または２記載の生体モニタ装置。
【請求項１０】
振動検出手段は身体の振動により生じる変位を検出する変位センサからなる請求項１乃至９のいずれか１項に記載の生体モニタ装置。
【請求項１１】
振動検出手段は可撓性を有した圧電センサからなる請求項１乃至９のいずれか１項に記載の生体モニタ装置。
【発明の詳細な説明】
【０００１】
【発明の属する技術分野】
本発明は例えば人体の脈拍数、血圧値、動脈硬化度、心拍出量等の血液循環動態を判定する生体モニタ装置に関するものである。
【０００２】
【従来の技術】
従来のこの種の生体モニタ装置について、以下に２つの引用例を用いて説明する。引用例１は特開平４−２００４３９号公報に記載されているようなものであった。この装置は図１７に示されているように腕時計１に設けられた心電波検出手段２と脈波検出手段３からなり、心電波検出手段２による心電波の検出から脈波検出手段３による脈波の検出までの時間差に基づき血圧を演算して表示手段４に表示するというものであった。
【０００３】
さらに引用例２は実開平５−７７３７４号公報に記載されているようなものであった。この装置は図１８に示されているように便器５の側部に、指を挿入させて測定するリング状指血圧センサ６と脈波センサ７を備えており、便器２に座ったままで血圧や脈波を測定し表示部８に表示するというものであった。
【０００４】
【発明が解決しようとする課題】
しかしながら、従来の生体モニタ装置では、双方の引用例ともに心電波や脈波、及び血圧を検出するための検出手段を体に装着しなければならず不快感を与えてしまうという課題を有していた。
【０００５】
【課題を解決するための手段】
本発明は上記課題を解決するために、寝具、座席、浴槽、便座の少なくとも一つに配設した振動検出手段と、前記振動検出手段の出力信号に基づき前記寝具、座席、浴槽、便座の少なくとも一つに存在する人体の血液循環により生じる身体の振動特性量を演算する演算手段と、前記演算手段の出力信号に基づき前記人体の血液循環動態を判定する判定手段とを備えたものである。そして演算手段は振動検出手段の出力信号の各波高、各波高の比、各波相互の時間間隔の少なくとも一つを演算し、判定手段は前記演算手段の出力信号に基づき、血圧値、動脈硬化度、心拍出量の少なくとも一つを判定するものである。
【０００６】
上記発明によれば、心電波や脈波、及び血圧を検出するための検出手段を体に装着しないので、不快感なく人体の血液循環動態を判定することができる。
【０００７】
【発明の実施の形態】
本発明は、寝具、座席、浴槽、便座の少なくとも一つに配設された少なくとも一つの振動検出手段と、前記振動検出手段の出力信号に基づき前記寝具、座席、浴槽、便座の少なくとも一つに存在する人体の血液循環により生じる身体の振動特性量を演算する演算手段と、前記演算手段の出力信号に基づき前記人体の血液循環動態を判定する判定手段とを備えたものである。そして演算手段は振動検出手段の出力信号の各波高、各波高の比、各波相互の時間間隔の少なくとも一つを演算し、判定手段は前記演算手段の出力信号に基づき、血圧値、動脈硬化度、心拍出量の少なくとも一つを判定するものである。
【０００８】
また演算手段は振動検出手段の出力信号に基づき人体の脈波伝播時間を演算し、判定手段は前記演算手段の出力信号に基づき人体の血圧値、動脈硬化度の少なくとも一つを判定するものである。
【０００９】
または就寝中でも血液循環動態を違和感なく連続的に判定することができる。また判定手段は血液循環動態の基準値を入力することが可能な基準値入力部を有するものである。
【００１０】
そして判定手段は入力された基準値に基づき演算手段の出力信号と判定結果との関係を補正するため、判定の精度を向上することができる。
【００１１】
また判定手段は人体の身長、体重、性別、年齢等の身体特性量の少なくとも一つを入力することが可能な身体特性量入力部を有するものである。
【００１２】
そして判定手段は入力された身体特性量に基づき演算手段の出力信号と判定結果との関係を補正するため、判定の精度を向上することができる。
【００１３】
また演算手段は振動検出手段の出力信号基づき寝具、座席、浴槽、便座の少なくとも一つにおける人体の有無を検出する人体検出部を有するものである。
【００１４】
そして判定手段は前記人体検出部の出力信号に基づき判定処理を行うため、人体が不在の際には不要な動作を行わない。
【００１５】
また判定手段は判定結果を記憶する記憶部を有するものである。また判定手段は判定結果を表示する表示部を有するものである。
【００１６】
また判定手段は判定結果が予め設定した正常範囲を逸脱した場合に警報を発生する警報発生部を有するものである。
【００１７】
そして正常範囲を逸脱した場合に警報を発生するため、例えば就寝中や作業中の身体の異常をチェックでき健康管理に役立つ。
【００１８】
また振動検出手段は身体の振動により生じる変位を検出する変位センサからなるものである。
【００１９】
また振動検出手段は寝具の胸元側と足元側にそれぞれ配設されたものである。また振動検出手段は座席の座面側と背もたれ側にそれぞれ配設されたものである。
【００２０】
以下、本発明の実施例について図面を用いて説明する。
【００２１】
（実施例１）
図１は本発明の実施例１の生体モニタ装置の外観図である。また図２は同装置のブロック図である。本実施例は本発明をベッドに適用した場合である。図１及び図２において、ベッド９のヘッドボード１０に振動検出手段としての変位センサ１１が配設されてある。１２は人体、１３はコントロールパネルである。コントロールパネル１３は演算手段１４と判定手段１５を有している。演算手段１４は人体検出部１５と振動特性量演算部１６とを有している。判定手段１７は判定部１８、基準値入力部１９、身体特性量入力部２０、記憶部２１、表示部２２、警報発生部２３を有している。変位センサ（振動検出手段）１１は好ましくは超音波センサや赤外線センサ及び光学系のセンサ等である。ベッド９上の人体１２には身体の血液循環により生じる細かな身体振動により変位Ｍが生じる。変位センサ（振動検出手段）１１はこのような変位を人体に非接触で検出できるよう高感度なセンサである。図１では変位センサ１１（振動検出手段）は１つしか配設していないが、複数個配設してもよい。
【００２２】
次に動作、作用について説明する。ベッド９上の人体１２には身体の血液循環により細かな身体振動が生じ、それが変位Ｍとなって現れる。変位センサ（振動検出手段）１１はこの変位Ｍを検出する。図３は変位センサ（振動検出手段）１１の出力信号を模式的に示したもので、一回の心拍により生じる変位Ｍに対応した一個の出力波形である。便宜的に波形の正・負双方のピークをＨ〜Ｌとすると、Ｈ、Ｊ、Ｌは頭方向への変位、Ｉ、Ｋは足方向への変位となっている。演算手段１４及び判定手段１７ではそれぞれこのような波形に基づき人体の血液循環により生じる身体の振動特性量を演算し、その演算値に基づき人体の血液循環動態を判定する。
【００２３】
図４にこの判定手順のフローチャートを示す。装置が始動すると先ずステップ２４でベッド９上の人体の有無が検出される。検出処理は変位センサ（振動検出手段）１１の出力信号を平滑化した信号に基づいて行われる。図５に平滑化した信号Ｖの特性を示す。横軸が時間Ｔ、縦軸が信号Ｖである。物には人体のような心拍活動がなく振動も変位もない。従って、ベッド９に物が置かれた場合は、Ｖは一旦大きくなるがすぐにゼロとなる。一方、人体には心拍活動があり、身体にはそれによる細かな振動が認められる。従って、人体がベッド９に入床後、安静状態になるとそのような身体の細かな振動による身体の変位に応じた出力が現れる。図５では、安静として示してある部分がこれに該当する。このような信号特性に基づき人体検出部１５は、図中のｔ、ＴＯ及びＶＯで示されているように、ＶＯ＜Ｖなる状態の継続時間ｔがＴＯ以上継続すると人体有りと判定し、それ以外ならば人体なしと判定する。人体有りと判定した場合は次のステップに進み、人体なしと判定した場合はステップ２４の処理を継続する。
【００２４】
次にステップ２５で振動特性量演算部１６が人体の血液循環により生じる身体の振動特性量を演算する。この振動特性量は例えば変位センサ（振動検出手段）１１の出力信号の各波高、各波高の比、各波相互の時間間隔等である。図３を例にとってみると、各波高は基線から各ピークＨ〜Ｌまでの高さや各ピーク間の波高、例えばＩとＪ、ＪとＫそれぞれの波高（ＨＩＪ、ＨＪＫと表わす）である。また各波高の比とは例えば比ＨＪＫ／ＨＩＪである。さらに各波相互の時間間隔とは例えばＩからＪまでの時間（以下、ＴＩＪと表わす）である。その他、原波形の１次微分や２次微分、１次積分や２次積分を行い、その結果得られる波形について上記のような特性量を演算してもよい。
【００２５】
このようにして演算された振動特性量に基づきステップ２６で判定部１８が人体の血液循環動態を判定する。ここで、振動特性量と人体の血液循環動態とは次のような関係がある。例えば血液循環動態が脈拍数ＨＲ（回／分）の場合、１分間に現れるピークＪの個数を演算することによりＨＲを得ることができる。血液循環動態が血圧の場合、血圧と比ＨＪＫ／ＨＩＪ（以下、Ｒとする）には図６の関係があることが知られている。図６によりＲ１が求まれば判定ラインＬ１、Ｌ２を用いて拡張期血圧Ｂ１及び収縮期血圧Ｂ２を得ることができる。血液循環動態が動脈硬化度の場合、動脈硬化度とＴＩＪには図７の関係があることが知られている。図７よりＴＩＪ１が求まれば判定ラインＬ３を用いて動脈硬化度Ｃ１を得ることができる。血液循環動態が心拍出量ＳＶの場合、ＳＶは式（１）（Ｓｔａｒｒの式）より得られることが知られている。
【００２６】
ＳＶ＝Ｋ（３・ＨＩＪ・Ａ・６０／ＨＲ／２）１／２        （１）
ここで、Ｋはある定数、Ａは大動脈弁口断面積である。以上の他、例えばピークＪについてＪ−Ｊ間隔のゆらぎを演算して、演算値から血液循環系の緊張度合いを判定してもよい。
【００２７】
上記のようにして判定部１８で血液循環動態の判定がなされるが、さらにステップ２７〜ステップ３０では振動特性量と人体の血液循環動態との関係における個人差を考慮して判定結果の補正を行う。すなわち、ステップ２７〜２８では血液循環動態の基準値を入力して振動特性量と血液循環動態の判定結果との関係を補正し、ステップ２９〜３０では人体の身長、体重、性別、年齢等の身体特性量の少なくとも一つを入力して振動特性量と血液循環動態の判定値との関係を補正する。例えば判定が血圧の場合、以下のようにして補正される。ステップ２７では、比Ｒ０を測定中に同時にカフ式の血圧計により血圧を測定してこれらの値を基準値Ｒ０、Ｂ０１、Ｂ０２として基準値入力部１９から入力する。ステップ２８では入力された基準値に基づき判定部１８が判定ラインＬ１、Ｌ２の補正を行う。図８に判定ラインＬ１、Ｌ２の補正の手順を示す。図より基準値Ｒ０、Ｂ０１、Ｂ０２により点ｐ１、ｐ２が求まるとｐ１、ｐ２を通るよう判定ラインＬ１、Ｌ２を平行移動させ、新たにできた判定ラインをＬ１′、Ｌ２′とする。以降、判定部１８は判定ラインＬ１′、Ｌ２′を用いてＲ１からＢ１及びＢ２を求める。またステップ２９では、身体特性量入力部２０に身体特性量として例えば年齢を入力すると、ステップ３０で入力された身体特性量に基づき判定部１８が判定ラインＬ１、Ｌ２の補正を行う。図９に年齢に応じた判定ラインＬ１、Ｌ２の補正の手順を示す。以降、判定部１８は図９の関係に基づき血圧値を求める。尚、ステップ２７及び２９で基準値や身体特性量の入力がない場合、判定部１８は判定結果の補正を行わない。
【００２８】
このようにして求められた判定値はステップ３１で記憶部２１に記憶されるとともに、ステップ３２で表示部２２に表示される。記憶部２１に記憶された値は判定部１８によりいつでも再生でき、表示部２２に表示可能である。さらに、判定結果が予め設定した正常範囲を逸脱した場合にはステップ３３および３４で警報発生部２３が警報を発生する。警報の発生は有線または無線でベッド９から離れたところに居る第３者に報知するようにしてもよい。
【００２９】
以上のように、変位センサ（振動検出手段）１１がベッド９に存在する人体１２の血液循環により生じる身体の振動を検出し、演算手段１４が人体の血液循環により生じる身体の振動特性量を演算し、その演算値に基づき判定手段１７が人体の血液循環動態を判定するため、心電波や脈波、及び血圧を検出するための検出手段を体に装着しないので、不快感なく人体の血液循環動態を判定することができる。また就寝中でも血液循環動態を違和感なく連続的に判定することができる。
【００３０】
また、判定手段１７が入力された基準値に基づき演算手段１４の出力信号と判定結果との関係を補正するため、判定の精度を向上することができる。
【００３１】
また、判定手段１７が入力された身体特性量に基づき演算手段１４の出力信号と判定結果との関係を補正するため、判定の精度を向上することができる。
【００３２】
また、判定手段１７が人体検出部１５の出力信号に基づき判定処理を行うため、人体が不在の際には不要な動作を行わない。
【００３３】
また、判定手段１７が判定結果を記憶する記憶部２１を有し、記憶された値は判定部１８によりいつでも再生できるので、過去からの判定結果のトレンド等が判り使い勝手がよい。
【００３４】
また判定手段１７が判定結果を表示する表示部２２を有し、リアルタイムの表示や記憶された過去のデータをいつでも表示することができる。
【００３５】
また、判定結果が正常範囲を逸脱した場合に警報発生部２３が警報を発生するため、例えば就寝中や作業中の身体の異常をチェックでき健康管理に役立つ。
【００３６】
さらに、演算手段１４は変位センサ（振動検出手段）１１の出力信号の各波高、各波高の比、各波相互の時間間隔の少なくとも一つを演算し、判定手段１７は演算手段１４の出力信号に基づき人体の脈拍数、血圧値、動脈硬化度、心拍出量の少なくとも一つを判定することができる。
【００３７】
（実施例２）
図１０、図１１は本発明の実施例２の生体モニタ装置の外観図である。図１０はベッド９への適用例、図１１は座席３７への適用例である。
【００３８】
実施例１と異なる点は振動検出手段が可撓性を有した圧電センサ３５、３６からなる点にある。圧電センサ（振動検出手段）３５、３６はいずれも例えばポリフッ化ビニリデン（ＰＶＤＦ）等の高分子圧電材料を薄膜状にし両面に可撓性の電極膜を付着させテープ状に成形されたものである。圧電センサ３５、３６は可撓性があるのでベッド９に配設しても違和感がない。圧電センサ３５、３６は人体の振動を検出しやすいようにベッド９の胸元側と足元側、及び座席３７の座面側と背もたれ側にそれぞれ配設されているが、配設する場所は限定されるものではなく、人体の振動を十分検出できる配設場所であればよい。同様に人体の振動を十分検出できるのであればセンサの配設数は１つでもよく、逆に２つでも人体の振動を十分検出できない場合はさらに配設数を増してもよい。圧電センサ３５、３６の配設方向は図１０、図１１のように横方向でなく縦方向でもよい。圧電センサ３５、３６は好ましくはベッド９で使用されるマットレスやベッドパッド等の寝具に内蔵したり、座席３７のシートクッションに内蔵する構成がよいが、例えばマットレス上に配設したり、ベッドパッドや枕に配設してもよいし、座席３７の場合は座布団に内蔵して座席上に置いてもよい。また圧電センサ３５、３６の形状は図１０、図１１のような帯状に限らず、シート状にしたりその他の任意の形状にすることが可能である。尚、実施例１と同一符号のものは同一構造を有し、説明は省略する。
【００３９】
次に動作、作用について説明する。ベッド９または座席３７上の人体１２には身体の血液循環により細かな身体振動が生じる。圧電センサ３５、３６はこの振動を検出する。図１２は圧電センサ３５、３６の出力信号を模式的に示したもので、心拍により生じる振動に対応した２個の出力波形である。便宜的に波形の正・負双方のピークをＨ〜Ｌとする。実施例１と同様にして演算手段１４及び判定手段１７ではこのような波形に基づき人体の血液循環により生じる身体の振動特性量を演算し、その演算値に基づき人体の血液循環動態を判定する。
【００４０】
振動検出手段として実施例１のような変位センサ１１を用いた場合は、変位センサ１１の検出視野角か狭いと人体の変位を検出しにくい場合がある上、椅子への適用は困難であるという課題があるが、本実施例のように振動検出手段として可撓性を有した圧電センサ３５、３６を用いるとベッド９上に人体が居る限り人体の振動を無拘束で検出可能となる。さらに椅子３７への適用も可能になり応用範囲が広がる。
【００４１】
（実施例３）
本発明の実施例３の生体モニタ装置を以下に説明する。実施例２と異なる点は演算手段１４が圧電センサ３５、３６の出力信号に基づき人体の脈波伝播時間を演算し、判定手段１７が演算手段１４の出力信号に基づき人体の血圧値、動脈硬化度の少なくとも一つを判定する点にある。本実施例では圧電センサは図１０及び図１１のようにベッド９の胸元側と足元側、及び座席３７の座面側と背もたれ側にそれぞれ配設されているものとする。配設個数はさらに増やしてもよい。次に動作、作用について説明する。ベッド９または座席３７上の人体１２には身体の血液循環により細かな身体振動が生じる。圧電センサ３５，３６はこの振動を検出する。図１３は図１０のベッドへの適用例における圧電センサ３５、３６の出力信号を模式的に示したもので、心拍により生じる振動に対応した２個の出力波形である。図より例えばピークＪに注目すると、胸元側と足元側の出力には時間差ＴＣがある。ＴＣは一般に脈波伝播時間と呼ばれており、人体の血液循環動態と関連するとされている。例えば血圧とＴＣとの関係は図１４のように示される。従って、判定部１８は演算手段１４でＴＣ１が演算されると図１４の判定ラインＬ１、Ｌ２を用いてＢ１及びＢ２を求める。尚、判定ラインの補正は実施例１と同様な手順で行う。
【００４２】
以上のように、演算手段１４は圧電センサ３５、３６の出力信号に基づき人体の脈波伝播時間を演算し、判定手段１７は演算手段１４の出力信号に基づき人体の血圧値、動脈硬化度の少なくとも一つを判定することができる。
【００４３】
（実施例４）
本発明の実施例４の生体モニタ装置を以下に説明する。上記実施例と異なる点は図１５のように浴槽３８に圧電センサ３５、３６を配設している点にある。センサの配設方法については浴槽３８の表面近くにセンサを内蔵するのが好ましいが、センサを直接浴槽３８の表面に貼り付けその上から防水部材でカバーする構成でもよい。センサの配設位置については図１５のように入浴時に背中が当たる部分と臀部または脚部が当たる部分の少なくとも一方にセンサを配設するのが好ましいが、センサが高感度であれば配設位置は選ばない。
【００４４】
上記構成により入浴中でも実施例２または実施例３と同様な手順で人体の血液循環動態を判定することができる。心電波や脈波、及び血圧を検出するための検出手段を体に装着しないので、不快感なく人体の血液循環動態を判定できる。また例えば入浴中に高血圧になったような場合には警報を発生するような構成も可能となり、健康管理に応用できる。
【００４５】
（実施例５）
本発明の実施例５の生体モニタ装置を以下に説明する。上記実施例と異なる点は図１６のように便座３９に圧電センサ３５、３６を配設している点にある。センサの配設方法については便座３９の表面近くにセンサを内蔵するのが好ましいが、センサを直接便座３９の表面に貼り付けその上から防水部材でカバーする構成や便座カバーにセンサを配設して便座に付けてもよい。センサの配設位置については図１６のように着座時に臀部が当たる部分と大腿部が当たる部分の少なくとも一方にセンサを配設するのが好ましいが、センサが高感度であれば配設位置は選ばない。
【００４６】
上記構成により用便中でも実施例２または実施例３と同様な手順で人体の血液循環動態を判定することができる。心電波や脈波、及び血圧を検出するための検出手段を体に装着しないので、不快感なく人体の血液循環動態を判定できる。また例えば用便中に高血圧になったような場合には警報を発生するような構成も可能となり、健康管理に応用できる。
【００４７】
他の実施例として、圧電センサ３５を衣服に配設して人体の振動を検出し、血液循環動態を判定する構成としてもよい。センサが可撓性を有しているため衣服に配設しても違和感なく血液循環動態をいつどこでも判定することができる。
【００４８】
以上の実施例では振動検出手段として変位センサ１１や圧電センサ３５、３６を使用しているが、これらのセンサに限定するものではなく、例えばセラミック型の圧電センサや静電容量型の加速度センサ、ケーブル状圧電センサ、光ファイバー型振動センサ、ストレインゲージ等、人体の血液循環により生じる身体の振動を検出できるものであればよい。
【００４９】
【発明の効果】
以上説明したように本発明の生体モニタ装置によれば次の効果が得られる。
【００５０】
演算手段が振動検出手段の出力信号の各波高、各波高の比、各波相互の時間間隔の少なくとも一つを演算し、判定手段が演算手段の出力信号に基づき人体の血圧値、動脈硬化度、心拍出量の少なくとも一つを判定することができる。
【図面の簡単な説明】
【図１】本発明の実施例１における生体モニタ装置の外観図
【図２】同装置のブロック図
【図３】同装置の変位センサ（振動検出手段）の出力信号の模式図
【図４】同装置における血液循環動態の判定手順を示すフローチャート
【図５】同装置の変位センサ（振動検出手段）の出力信号を平滑化した信号の特性図
【図６】血圧とＲとの関係を示す特性図
【図７】動脈硬化度とＴＩＪとの関係を示す特性図
【図８】血圧の判定ラインを基準値で補正する手順を示す特性図
【図９】血圧の判定ラインを個人特性量で補正する手順を示す特性図
【図１０】本発明の実施例２における生体モニタ装置の外観図（ベッドへの適用例）
【図１１】本発明の実施例２における生体モニタ装置の外観図（座席への適用例）
【図１２】同装置の圧電センサ（振動検出手段）の出力信号の模式図
【図１３】本発明の実施例３における生体モニタ装置の圧電センサ（振動検出手段）の出力信号の模式図
【図１４】血圧とＴＣとの関係を示す特性図
【図１５】本発明の他の実施例における生体モニタ装置の外観図（浴槽への適用例）
【図１６】本発明の他の実施例における生体モニタ装置の外観図（便座への適用例）
【図１７】従来の生体モニタ装置の構成図（引用例１）
【図１８】従来の生体モニタ装置の構成図（引用例２）
【符号の説明】
９  ベッド
１１  変位センサ（振動検出手段）
１２  人体
１４  演算手段
１５  人体検出部
１６  振動特性量演算部
１７  判定手段
１８  判定部
１９  基準値入力部
２０  身体特性量入力部
２１  記憶部
２２  表示部
２３  警報発生部
３５、３６  圧電センサ（振動検出手段）
３７  座席
３８  浴槽
３９  便座
【図１】
0003596212.tif 000002
【図２】
0003596212.tif 000003
【図３】
0003596212.tif 000004
【図４】
0003596212.tif 000005
【図５】
0003596212.tif 000006
【図６】
0003596212.tif 000007
【図７】
0003596212.tif 000008
【図８】
0003596212.tif 000009
【図９】
0003596212.tif 000010
【図１０】
0003596212.tif 000011
【図１１】
0003596212.tif 000012
【図１２】
0003596212.tif 000013
【図１３】
0003596212.tif 000014
【図１４】
0003596212.tif 000015
【図１５】
0003596212.tif 000016
【図１６】
0003596212.tif 000017
【図１７】
0003596212.tif 000018
【図１８】
0003596212.tif 000019